(57)【要約】   【課題】ホース又は断面半円弧状の樋のいずれかを選択自在に縦樋から雨水を取出すことができる雨水取水器を提供することを目的とする。  【解決手段】  雨水取水器３２は縦樋３１の上縦樋３３の下開口端部３３ａと下縦樋３４の上開口端部３４ａを閉囲して形成される。雨水取水器３２の頂面３２ａに設けられる第一単管３５は内部に９０度エルボ３５ａを備える。雨水取水器３２の底面３２ｂを挿通して第二単管３６が固着され、第二単管３６は底面３２ｂの上方に堰部３６ａと下方に下垂部３６ｂを備える。下縦樋３４の上開口端部３４ａにスリーブ３７を外嵌めしてその上部の上開口端部３４ａの突出部３７ａに第二単管３６の下垂部３６ｂが嵌入される。雨水取水器３２の底面３２ｂに雨水の取出し口４０としての第三短管４１がその上端部４１ａを底面と３２ｂと面一で形成される。取出し口４０からホース４２で取水する。【選択図】  図１
2008291569.tif 000002
【特許請求の範囲】
【請求項１】
建物の縦樋に取付けられる雨水取水器において、前記縦樋の上下方向の中間部において前記縦樋の一部を切除し、前記縦樋の残った上下開口端部を一体的に閉囲して成る雨水取水部を設け、この雨水取水部の底面にホース又は断面半円弧状の樋を介して取水する取出し口が短管で形成されることを特徴とする雨水取水器。
【請求項２】
請求項１に記載の雨水取水器であって、前記縦樋の残った下開口端部は前記雨水取水部の底面より上方に突出することを特徴とする雨水取水器。
【請求項３】
請求項１又は請求項２に記載の雨水取水器であって、前記雨水取水部は角柱形状又は円柱形状に形成されることを特徴とする雨水取水器。
【発明の詳細な説明】
【技術分野】
【０００１】
本発明は、建築物の竪樋から雨水を取出す技術に関し、特に、竪樋から雨水を複数の方法で取出すための雨水取水器の構造に関する。
【背景技術】
【０００２】
従来、水資源の有効利用のために一般家屋の屋根に降った雨水を利用することが考えられていた。このための雨水取水器の構造が特許文献１の方法が知られている。
【０００３】
特許文献１によれば、図３（ａ）に示すように、雨水取水器Ｂは取水器本体１と取水板２から成り、取水器本体１は薄板ステンレス鋼板を直径６０ｍｍ程度の筒状に加工成形され、上下の長さは略２００ｍｍから略４００ｍｍで形成される。
【０００４】
取水器本体１の中央部分の側部には雨水取出し用の取水板２が開閉自在に取付けられる。取水板２は、予め取水器本体１の側部に開口部１１として窄設された部分に差し込んで設置されるとともに、この開口部１１は雨水を側方に導き出すための通路となる。このため、開口部１１を取水板２によって開閉させるために、その中間の側部の縁には中心軸となる回動孔１２が相対向して２箇所設けられている。
【０００５】
そして、回動孔１２にリベット１４を差し込んでこのリベット１４を軸にして取水板２を回動させる。開口部１１の下部は取水板２の下面を支えるために曲線状の支持部１３が形成されている。
【０００６】
取水板２は断面略半円状に曲成され、取水器本体１の内部に差し込む基端部分付近の側部には回動孔２３が相対向して形成される。なお、基端部分は取水器本体１に差し込まれてその内周面まで達する。
【０００７】
取水器本体１の回動孔１２は回動孔２３に対応する位置に形成され、この回動孔１２、２３どうしをブラインドリベット等のリベット１４で回動自在に軸着される。ここで、回動孔１２の上部にはそれぞれ切欠き部分を有するが、これは取水板２を閉じたときに取水板２の側部が当たらないための逃げ部分である。
【０００８】
取水板２の先端部には下方に傾斜する傾斜部２１が連続して延設され、さらにその先端は半円筒状に曲成した樋状の接続端部２４が形成されている。この傾斜部２１は取水板２を閉じたときに接続端部２４が縦樋Ａにぶつかるのを防ぐためである。
【０００９】
さらに、図３（ｂ）に示すように、接続端部２４にホースＧを接続して雨水を任意の方向に導くこともできる。
【００１０】
しかしながら、雨水が少量の場合には雨水は接続端部２４からホースＧに流れるので問題ないが、雨水Ｈが多い場合にはホース６と半円筒状の接続端部２４との接続部Ｇ１から雨水Ｈが溢れることがあり雨水を効率よく１００％ホースＧに導くことは困難であった。
【特許文献１】特開２００１−２０７４８５号公報
【発明の開示】
【発明が解決しようとする課題】
【００１１】
このように、雨水取水器Ｂでは半円筒状の取水板２とホース６のいずれかを任意に選択して効率よく使用することはできなかった。
【００１２】
そこで、本発明はかかる従来技術の問題に鑑みなされたものであり、建築物の竪樋の上下方向の途中に設けられるに雨水取水器に関し、特に、ホース又は断面半円弧状の樋のいずれかを選択自在に縦樋から雨水を取出すことができる雨水取水器を提供することを目的とする。
【課題を解決するための手段】
【００１３】
請求項１の発明は、建物の縦樋に取付けられる雨水取水器において、前記縦樋の上下方向の中間部において前記縦樋の一部を切除し、前記縦樋の残った上下開口端部を一体的に閉囲して成る雨水取水部を設け、この雨水取水部の底面にホース又は断面半円弧状の樋を介して取水する取出し口が短管で形成されることを特徴としている。
【００１４】
請求項２の発明は、請求項１に記載の雨水取水器であって、前記縦樋の残った下開口端部は前記雨水取水部の底面より上方に突出することを特徴としている。
【００１５】
請求項３の発明は、請求項１又は請求項２に記載の雨水取水器であって、前記雨水取水部は角柱形状又は円柱形状に形成されることを特徴としている。
【発明の効果】
【００１６】
請求項１記載の発明によれば、前記縦樋の上下方向の中間部において前記縦樋の一部を切除し、前記縦樋の残った上下開口端部を一体的に閉囲して成る雨水取水部を設け、この雨水取水部の底面にホース又は断面半円弧状の樋を介して取水する取出し口が短管で形成されるので、雨水は短管の下方に配置される断面半円弧状の樋に直接落下して流れることができる。さらに、短管にホースも連結して雨水を流すこともできる。
【００１７】
このように、ホース又は断面半円弧状の樋を選択自在に用いて容易に取水することができる。
【００１８】
請求項２の発明によれば、前記縦樋の残った下開口端部は前記雨水取水部の底面より上方に突出するので、下開口端部と前記雨水取水部の底面との領域に雨水を溜水しながら取水できるとともに、雨量が多い場合には雨水を下開口端部から竪樋にオーバーフローして流出することができる。
【００１９】
請求項３の発明によれば、前記雨水取水部は角柱形状又は円柱形状のシンプルな形状なので製作コストを低くできる。
【発明を実施するための最良の形態】
【００２０】
＜雨水取水器の構成＞  
以下に、本発明の第一の実施形態を図１に基づいて説明する。
【００２１】
図１に示すように、建物の縦樋３１に取付けられる雨水取水器３２は、縦樋３１の上下方向の中間部において縦樋３１の一部を切除して、この空間に縦樋３１の残った上縦樋３３の下開口端部３３ａと下縦樋３４の上開口端部３４ａを後述の第一単管３５と第二単管３６を介して一体的に閉囲して成る四角柱形状で形成される。
【００２２】
より詳しくは、雨水取水器３２の頂面３２ａに第一単管３５を頂面３２ａから高さＨ１で備え、上縦樋３３の下開口端部３３ａを第一単管３５に内嵌して連結する。なお、第一単管３５は雨水取水器３２の内部で９０度エルボ３５ａを備える。
【００２３】
そして、第一単管３５の垂直線上で雨水取水器３２の底面３２ｂを挿通して第二単管３６が固着され、第二単管３６は底面３２ｂの上方に高さＨ２の堰部３６ａと下方に高さＨ３の下垂部３６ｂとを備える。下縦樋３４の上開口端部３４ａにスリーブ３７を外嵌めしてその上部を上開口端部３４ａより突出して成る突出部３７ａに第二単管３６の下垂部３６ｂが嵌入される。
【００２４】
縦樋３１の外径Ｓとすると、第一単管３５の内径と第二単管３６の外径とスリーブ３７の内径はそれぞれ縦樋の外径Ｓと同じ寸法である。
【００２５】
さらに、雨水取水器３２の底面３２ｂに雨水の取出し口４０としての第三短管４１がその上端部４１ａを底面と３２ｂと面一で形成される。取出し口４０にホース４２がホースバンド４３を介して固着され、このホース４２によって雨水を任意の方向に取水することができる。
【００２６】
雨水取水器３２の縦樋３１へ組付け手順は、縦樋３１の一部を切除した後に、下縦樋３４にスリーブ３７を取付けた後、上縦樋３３を上方に少し移動して雨水取水器３２の第二単管３６を下縦樋３４のスリーブ３７に挿入した後、上縦樋３３を下方に移動して雨水取水器３２の第一単管３５に挿着して組付けされる。
【００２７】
第二単管３６とスリーブ３７の突出部３７ａ、下開口端部３３ａと第一単管３５は、それぞれ接着剤等を用いることで確実に固着性と防水性が得られる。
【００２８】
雨水取水部の材料はアクリル系樹脂や硬質塩化ビニール樹脂等の合成樹脂又はステンレス材等が用いられる。
【００２９】
＜雨水取水器の作用＞
第一単管３５は雨水取水器３２の内部で９０度エルボ３５ａを備えるので、上縦樋３３からの雨水は雨水取水器３２内部に貯水されながら取出し口４０からホース４２によって、雨水を任意の方向に取水とタンク等に貯水ができて水資源の有効利用ができる。
【００３０】
雨水取水部３２の内部には最大で第二単管３６の堰部３６ａの高さＨ２に相当する雨水が貯水されるが、雨水が多い場合には第二単管３６の先端部周縁３６ｃからオーバーフローして下縦樋３４に流れる。
【００３１】
＜本発明の第二の実施形態＞
本発明の第二の実施形態の雨水取水器４５を、図２を用いて説明するが、図１に示す雨水取水器３２の構成と同構成部分については、図面に同符号を付して重複した説明を省略する。
【００３２】
雨水取水器４５の取出し口４０の下方に断面半円弧状の樋４６を図示しない方法で取付けることにより、雨水を任意の方向に取水することができるとともに雨水の流れを目で見て風情を楽しむ事もできる。
【００３３】
以上、本発明の実施例を図面に基づいて説明したが、具体的な構成はこの実施例に限られるものではなく本発明の要旨を逸脱しない範囲の設計変更等があっても本発明に含まれる。
【００３４】
たとえば、第一単管３５及び９０度エルボ３５ａは管の曲げ加工による一体成形でも構わない。９０度エルボ３５ａの替わりに雨水をガイドする斜め板を雨水取水器３２の頂面３２ａに設けてもよい。
【００３５】
また、通常雨水が上縦樋３３を流れる際に雨水の殆どは上縦樋３３の内面に沿って流れるので、第一単管３５だけ取付けて９０度エルボ３５ａがなくてもよい。この場合、落下する雨水が第二単管３６の先端部周縁３６ｃに落下して分流するので雨水取水部３２に流れ込む雨水の略５０％を自動的に利用することができる。
【００３６】
雨水取水部は角柱形状以外に円柱形状や断面が楕円の柱状、或いはデザイン性を重んじる場合には上下方向の断面形状を連続的に変化させることもできる。
【図面の簡単な説明】
【００３７】
【図１】本発明の第一の実施形態における、雨水取水器３２にホース４２を取付けた状態を示す斜視図である。
【図２】本発明の第二の実施形態における、雨水取水器４５に断面半円弧状の樋４６を取付けた状態を示す斜視図である。
【図３】従来例における、（ａ）は雨水取水器Ｂの取水器本体１と取水板２の形状を示す斜視図、（ｂ）は取水板２にホースＧを連結した状態を示す雨水取水器Ｂの一部断面側面図である。
【符号の説明】
【００３８】
３１  縦樋
３２  雨水取水器
３２ａ  頂面
３２ｂ  底面
３３  上縦樋
３３ａ  下開口端部
３４  下縦樋
３４ａ  上開口端部
３５  第一単管
３５ａ  ９０度エルボ
３６  第二単管
３６ａ  堰部
３６ｂ  下垂部
３７  スリーブ
３７ａ  突出部
４０  取出し口
４１  第三短管
４１ａ  上端部
４２  ホース
【図１】
2008291569.tif 000003
【図２】
2008291569.tif 000004
【図３】
2008291569.tif 000005